(57)【要約】【課題】  ソケット本体とカバーの嵌合クリアランスを小さくすることなく、また別部材を追加することもコストアップもなしにソケット本体の片寄りを防止することが可能なランプソケットを提供する。【解決手段】ソケット本体１は、ランプ口金を受ける受金部を有し受金部に接続された電線４を有する。カバー２は電線４を外部に引き出した状態にソケット本体１を収納する収納スペース７を内部に有する。ランプ保持ばね３はカバー２に設けられ、受金部に接続されたランプを保持するランプ保持部１４と、ソケット本体１を収納スペース７内に押付け固定するソケット押圧部１５とを有する。 【選択図】        図１
2006269172.tif 000002
【特許請求の範囲】
【請求項１】
ランプ口金を受ける受金部を有し前記受金部に接続された電線を有するソケット本体と、前記電線を外部に引き出した状態に前記ソケット本体を収納する収納スペースを内部に有するカバーと、このカバーに設けられたランプ保持ばねとを備え、      
前記ランプ保持ばねは、前記受金部に接続されたランプを保持するランプ保持部と、前記ソケット本体を前記収納スペース内に押付け固定するソケット押圧部とを有することを特徴とするランプソケット。
【発明の詳細な説明】
【技術分野】
【０００１】
この発明は、ランプソケットに関するものである。
【背景技術】
【０００２】
図７から図９に示す従来のランプソケットは、ランプ口金と嵌合する受金部（図示せず）を有する電線５０付きのソケット本体５１と、ランプ（図示せず）を保持するランプ保持ばね５２と、これらを一体化する樹脂カバー５３とで構成されている。
【０００３】
このようなランプソケットにおいて、ソケット本体５１を樹脂カバー５３に組み込む際、組立作業性の向上や金型の簡略化を図るため、ねじ止めや樹脂のばね性による係止を行わず、樹脂カバー５３のリブ５４、５５やボス等により位置規制する場合が多い。
【０００４】
しかし、ソケット本体５１には電線５０が付いており、ランプソケット全体の小型化が必要な場合は、樹脂カバー５３の内部での無理な電線引き回しを余儀なくされることがある。例えば、図９に示すように電線５０が引き回される場合、ソケット本体５１が矢印５６の方向に引っ張られ、ソケット本体５１の前面側が矢印５７の方向に回転し片寄りする。このように、電線５０の引き回し方向によっては、リブ５４、５５やボス等で規制されているだけのソケット本体５１は、一方向に片寄り外観品質やランプ口金との接触に影響を及ぼす。また、この片寄り量は同じ商品でも一定しないことがあり、設計する際の不確定要素となる。
【０００５】
この解決策として、ソケット本体５１と樹脂カバー５３の嵌合クリアランスを小さくしたり、ソケット本体５１が片寄る側に片寄り防止リブ５４、５５を予め設けておくことがある。しかし、前者ではソケット本体５１と樹脂カバー５３の嵌合クリアランスを小さくすると、組立容易でなくなり、また個片に高い寸法精度が要求され、金型の高額化や不良率の増大が懸念される。後者では、ソケット本体５１と樹脂カバー５３がともに寸法公差内にあっても干渉する場合がある。このときは、リブが潰れることによって片寄りを吸収しており、応力がかかり続けるため、経年変化が他の部位よりも大きくなる。
【０００６】
別の従来例（例えば特許文献１参照）は、ソケット本体にピンを設けてカバーのガイド溝にガイドさせることより、ソケット本体を出没自在に保持し、ランプ口金の非装着状態でソケット本体をランプホルダの前面に突出させる押圧ばねと、ランプ口金の装着時に押圧ばねに抗してソケット本体を後退させる補助ばねとを設けている。    
【特許文献１】実開平４−２７５１１号公報
【発明の開示】
【発明が解決しようとする課題】
【０００７】
しかし、特許文献１は、別部材を追加しているためコストアップとなる。
【０００８】
したがって、この発明の目的は、ソケット本体とカバーの嵌合クリアランスを小さくすることなく、また別部材を追加することもコストアップもなしにソケット本体の片寄りを防止することが可能なランプソケットを提供することである。
【課題を解決するための手段】
【０００９】
この発明のランプソケットは、ソケット本体はランプ口金を受ける受金部を有し前記受金部に接続された電線を有する。カバーは前記電線を外部に引き出した状態に前記ソケット本体を収納する収納スペースを内部に有する。ランプ保持ばねはカバーに設けられている。前記ランプ保持ばねは、前記受金部に接続されたランプを保持するランプ保持部と、前記ソケット本体を前記収納スペース内に押付け固定するソケット押圧部とを有する。
【発明の効果】
【００１０】
この発明のランプソケットによれば、ランプ保持ばねに設けたソケット押圧部によりソケット本体を押圧するため、ソケット本体とカバーの嵌合クリアランスを小さくすることなく、また別部材を追加することもコストアップもなしにソケット本体の片寄りを弾性的に補正することが可能となる。
【発明を実施するための最良の形態】
【００１１】
この発明の第１の実施の形態を図１から図４により説明する。このランプソケットは、ソケット本体１と、カバー２と、ランプ保持ばね３とで構成されている。  
【００１２】
ソケット本体１は、前面にランプピン挿入孔（図示せず）を有し、ランプピン挿入孔に挿入されたランプ口金のランプピンに接触する受金部（図示せず）を内部に有し、受金部に接続された電線４を後部から引き出している。
【００１３】
カバー２は樹脂製であり、それぞれ側面に開口を有する第１のカバー５と第２のカバー６からなり、両カバー５、６の開口側を対向して連結することにより内部にソケット本体１を収納する収納スペース７を形成している。カバー２の前端のコーナ部に凹部８を形成し、凹部８に収納スペース７の前開口部９を形成し、前開口部９にソケット本体１の前面を配置している。第１のカバー５の後端に後開口部１０を切欠き形成し、電線４を外部に引き出している。また、収納スペース７にはソケット本体１の後部両側を位置決めするリブ１１、１２を設けるとともに前部両側は前開口部９の開口縁部２６により位置決めしている。カバー２の凹部８の近傍の第１のカバー５と第２のカバー６の対向面にそれぞればね挿通溝を形成することによりばね挿通孔１３を形成している。第１のカバー５と第２のカバー６の結合構造については後述する。
【００１４】
ランプ保持ばね３は弾性のある材質の部材例えば板ばねを用いており、一端にランプを保持するランプ保持部１４を有し、他端にソケット本体１に押圧するソケット押圧部１５を有する。ランプ保持ばね３の中間部がカバー２の前端部の凹部８の一側寄りに形成したばね挿通孔１３に通され、ばね挿通孔１３の奥側に形成したばね固定部１６により固定されている。ランプ保持部１４はカバー２に露出したソケット本体１の前面に対向するように曲げられ、その先端を反対向きに折り返してランプ口金が挿入しやすいようにしている。ソケット押圧部１５はＵ字形の先端部でソケット本体１の側面を押圧している。これによりソケット本体１はリブ１２と前開口部９の開口縁部２６のソケット押圧部１５と反対側の部分に押し当てられ、これらに支持される。
【００１５】
つぎに第１のカバー５と第２のカバー６の結合構造について説明する。第１のカバー５の収納スペース７内には複数のかしめ突起１８が立設され、第２のカバー６のかしめ突起１８を挿通するかしめ用孔１９を形成している。かしめ用孔１９は第２のカバー６の外面に形成したかしめ用凹部２０内に形成されている。図１に示すように第１のカバー５にソケット本体１およびランプ保持ばね３を配置した状態で第２のカバー６を第１のカバー５に被せ、図２に示すようにかしめ突起１８をかしめ用孔１９に通す。図３に示すようにかしめ突起１８の先端をかしめ機によって潰して径大のかしめ部２１を形成し、第１のカバー５と第２のカバー６とを結合する。
【００１６】
図４（ａ）はかしめ突起１８のかしめ部２１を示している。かしめ用凹部２０内に予めかしめ用凹部２０の底面に金型により、かしめ部２１のかしめ径を目視検査する際の基準となる円形状の溝２２を形成しておく。これにより、かしめ突起１８をかしめたときのかしめ部２１のかしめ径が溝２２の直径Ｒより大きいことを目視検査することにより、かしめ工程のかしめ部２１の大きさの管理を行うことができる。
【００１７】
図４（ｂ）は目視検査用基準として、かしめ用凹部２０の内周面に表面からの所定のかしめ深さＨの突起２３をアンダーカットにより形成し、かしめ部２１のかしめ深さが所定のかしめ深さＨより大きいことを目視検査している。図４（ｃ）はかしめ用凹部２０を段付き穴により形成し、その段部２４を基準のかしめ深さＨとしている。
【００１８】
通常コールドかしめの出来ばえの管理には、かしめ部２１の直径や基準面からのかしめ深さを測定して管理する。しかし、図４に示すようにカバー２に金型で溝２２、突起２３および段部２４などの目印（かしめ径最小値、かしめ深さ最大値など）を形成すれば、かしめの出来ばえ管理を工程での目視検査にて実施することができる。
【００１９】
この実施の形態によれば、ランプ保持ばね３の中間部をばね固定部１６で固定しその両側にランプ保持部１４とソケット押圧部１５があるため、それぞれが互いに影響を受けずに機能することができる。
【００２０】
ソケット本体１の開口縁部１０およびリブ１２を、ソケット押圧部１５によりソケット本体１が押し当てられることを前提に設計することができる。
【００２１】
かしめ部２１はその直径やカバー２の表面からの深さを測定して管理される場合が多いが、金型により予め溝２２、突起２３、段部２４などを基準の目印としてかしめの直径やかしめ深さの管理を目視により容易に管理することができる。
【００２２】
この発明の第２の実施の形態を図５により説明する。このランプソケットは、第１のカバー５と第２のカバー６からなるカバー２の一側にソケット本体１の前面を露出し、その両側より一対のランプ保持ばね３、２８を突出し、電線４をカバー２の一側に隣接する端面より引き出している。ランプ口金はランプピンをソケット本体１の受け口に差し込み内部の受金部に挿着するとともに一対のランプ保持ばね３、２８のランプ保持部１４により抱持される。またランプ保持ばね３の内端部には第１の実施の形態と同様にソケット押圧部（図示せず）を設けている。
【００２３】
この発明の第３の実施の形態を図６により説明する。このランプソケットは、第２の実施の形態において、ソケット押圧部１５を一対のランプ保持ばね３、２８に設け、ソケット押圧部１５でソケット本体１の両側を挟持している。また図６は第１のカバー５のみを示し、第１のカバー５にかしめ突起１８を形成し、第２のカバーにかしめ用孔を形成している。そのかしめについては第１の実施の形態と同様にしている。３０はカバー２の取付け部である。  
【図面の簡単な説明】
【００２４】
【図１】この発明の第１の実施の形態の第２のカバーを外した状態の第１のカバーの内部を示す側面図である。
【図２】第１のカバーと第２のカバーの組み合わせ状態の斜視図である。
【図３】かしめ結合した状態の斜視図である。
【図４】かしめ部分の断面図である。
【図５】第２の実施の形態の斜視図である。
【図６】第３の実施の形態の第２のカバーを外した状態の第１のカバーの内部を示す側面図である。
【図７】従来例の斜視図である。
【図８】その分解斜視図である。
【図９】その第２のカバーを外した状態の第１のカバーの側面図である。
【符号の説明】
【００２５】
１    ソケット本体
２    カバー
３    ランプ保持ばね
４    電線
７    収納スペース
１４    ランプ保持部
１５    ソケット押圧部
【図１】
2006269172.tif 000003
【図２】
2006269172.tif 000004
【図３】
2006269172.tif 000005
【図４】
2006269172.tif 000006
【図５】
2006269172.tif 000007
【図６】
2006269172.tif 000008
【図７】
2006269172.tif 000009
【図８】
2006269172.tif 000010
【図９】
2006269172.tif 000011